(57)【要約】本公開は、ローカル側が、送信側としてその情報が複数のサブフレームを含む重複伝送期間中に重複伝送される場合、当該重複伝送期間に含まれる各伝送時間帯に対応するスクランブリングコード（ここで、各伝送時間帯に同一のスクランブリングコードが対応する）を確定することと、ローカル側が、伝送時間帯毎に、当該伝送時間帯に対応するスクランブリングコードを用いて、当該伝送時間帯の伝送情報の符号化後のビットストリームをスクランブルし、スクランブル後のビットストリームを相手側に送信することとを含む情報伝送方法を開示する。【選択図】図２
2018515968.tif 000002
【特許請求の範囲】
【請求項１】
ローカル側が、送信側としてその情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する）を確定することと、
前記ローカル側が、伝送時間帯毎に、当該伝送時間帯に対応するスクランブリングコードを用いて、当該伝送時間帯内に伝送される情報の符号化後のビットストリームをスクランブルし、スクランブル後のビットストリームを相手側に送信することと
を含むことを特徴とする情報伝送方法。
【請求項２】
前記ローカル側が前記重複伝送期間に含まれる伝送時間帯ごとに対応するスクランブリングコードを確定することは、具体的に、
前記ローカル側が、前記重複伝送期間に含まれる、上りサブフレーム又は下りサブフレームを含む複数の連続サブフレームを含む各伝送時間帯を確定することと、
前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することと
を含むことを特徴とする請求項１に記載の情報伝送方法。
【請求項３】
前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することは、具体的に、
前記ローカル側が、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを含むことを特徴とする請求項２に記載の情報伝送方法。
【請求項４】
前記重複伝送期間に含まれる伝送時間帯を確定する前に、
前記複数の連続サブフレームのサブフレーム数を予め前記ローカル側と相手側に記憶し、
又は、
前記ローカル側と相手側のうちのネットワーク側により、前記複数の連続サブフレームのサブフレーム数を確定し、前記複数の連続サブフレームのサブフレーム数を相手側のユーザ機器に通知することを更に含むことを特徴とする請求項２に記載の情報伝送方法。
【請求項５】
前記ローカル側が前記重複伝送期間に含まれる伝送時間帯を確定することは、具体的に、
前記ローカル側が、前記複数の連続サブフレームのサブフレーム数に基づいて、前記重複伝送期間の開始時刻を起点として、当該重複伝送期間に含まれる伝送時間帯を確定することを含むことを特徴とする請求項４に記載の情報伝送方法。
【請求項６】
ネットワーク側により前記複数の連続サブフレームの数を確定する場合、当該ネットワーク側が、前記相手側のユーザ機器のチャネル条件に基づいて、前記複数の連続サブフレームのサブフレーム数を確定することを特徴とする請求項４に記載の情報伝送方法。
【請求項７】
前記ネットワーク側が前記複数の連続サブフレームのサブフレーム数を相手側のユーザ機器に通知することは、具体的に、
前記ネットワーク側が、ハイレイヤシグナリング又は下り制御情報ＤＣＩによって、前記複数の連続サブフレームのサブフレーム数を前記相手側のユーザ機器に通知することを含むことを特徴とする請求項４に記載の情報伝送方法。
【請求項８】
前記重複伝送期間の伝送時間帯ごとに対応するスクランブリングコードを予め前記ローカル側と前記相手側に記憶し、又は、前記ローカル側が、伝送時間帯ごとに対応するスクランブリングコードを前記相手側に送信することによって、前記相手側に対し、前記ローカル側からの送信メッセージを受信すると、伝送時間帯ごとに対応するスクランブリングコードで当該伝送時間帯の前記ローカル側による送信情報に対するスクランブル解析をするよう指示することを更に含むことを特徴とする請求項１に記載の情報伝送方法。
【請求項９】
前記ローカル側が、受信側として相手側から伝送時間帯ごとに送信される情報を受信する（伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする）ことと、
前記ローカル側が、伝送時間帯ごとの前記相手側による送信情報に対し、当該伝送時間帯に対応するスクランブリングコードを確定し、確定したスクランブリングコードに基づいて、当該伝送時間帯の前記相手側による送信情報に対するスクランブル解析を行うことと
を更に含むことを特徴とする請求項１に記載の情報伝送方法。
【請求項１０】
情報が複数のサブフレームを含む重複伝送期間に重複伝送される必要がある場合、当該重複伝送期間に含まれる伝送時間帯ごとに対応するスクランブリングコード（伝送時間帯ごとが同一のスクランブリングコードに対応する）を確定する第１処理ユニットと、
前記第１処理ユニットに接続され、伝送時間帯毎に、当該伝送時間帯に対応するスクランブリングコードを用いて、当該伝送時間帯内に伝送される情報の符号化後のビットストリームをスクランブルする第２処理ユニットと、
前記第２処理ユニットに接続され、スクランブル後のビットストリームを相手側に送信する送信ユニットと、
を含むことを特徴とする情報伝送装置。
【請求項１１】
前記第１処理ユニットが前記重複伝送期間に含まれる伝送時間帯ごとに対応するスクランブリングコードを確定することは、具体的に、
前記第１処理ユニットが、前記重複伝送期間に含まれる、上りサブフレーム又は下りサブフレームを含む複数の連続サブフレームを含む各伝送時間帯を確定することと、
前記第１処理ユニットが、伝送時間帯毎に、当該伝送時間帯内の複数の連続サブフレームのうち開始サブフレームのサブフレーム番号に基づいて、当該伝送時間帯に対応するスクランブリングコードを確定することと
を含むことを特徴とする請求項１０に記載の情報伝送装置。
【請求項１２】
前記第１処理ユニットは、具体的に、
前記伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを特徴とする請求項１１に記載の情報伝送装置。
【請求項１３】
前記複数の連続サブフレームのサブフレーム数を予め前記第１処理ユニットに記憶し、
又は、
当該装置がネットワーク側装置である場合、前記第１処理ユニットは、前記重複伝送期間に含まれる伝送時間帯を確定する前に、更に、前記複数の連続サブフレームのサブフレーム数を確定し、前記送信ユニットは、更に、前記複数の連続サブフレームのサブフレーム数をユーザ機器に通知することを特徴とする請求項１１に記載の情報伝送装置。
【請求項１４】
前記第１処理ユニットが前記重複伝送期間に含まれる伝送時間帯を確定することは、具体的に、
前記第１処理ユニットが、前記複数の連続サブフレームのサブフレーム数に基づいて、前記重複伝送期間の開始時刻を起点として、当該重複伝送期間に含まれる伝送時間帯を確定することを含むことを特徴とする請求項１３に記載の情報伝送装置。
【請求項１５】
前記第１処理ユニットが前記複数の連続サブフレームの数を確定することは、具体的に、
前記第１処理ユニットが、前記ユーザ機器のチャネル条件に基づいて、前記複数の連続サブフレームのサブフレーム数を確定することを含むことを特徴とする請求項１３に記載の情報伝送装置。
【請求項１６】
前記送信ユニットが前記複数の連続サブフレームの数を前記ユーザ機器に通知することは、具体的に、
前記送信ユニットが、ハイレイヤシグナリング又は下り制御情報ＤＣＩによって、前記複数の連続サブフレームの数を前記ユーザ機器に通知することを含むことを特徴とする請求項１３に記載の情報伝送装置。
【請求項１７】
前記重複伝送期間の伝送時間帯ごとに対応するスクランブリングコードを予め前記第１処理ユニットに記憶し、
又は、
前記送信ユニットは、更に、伝送時間帯ごとに対応するスクランブリングコードを前記相手側に送信することによって、前記相手側に対し、当該装置の存在するローカル側からの送信メッセージを受信すると、伝送時間帯ごとに対応するスクランブリングコードで当該伝送時間帯の当該装置の存在するローカル側による送信情報に対するスクランブル解析をするよう指示することを特徴とする請求項１０に記載の情報伝送装置。
【請求項１８】
前記第１処理ユニットに接続され、相手側から伝送時間帯ごとに送信される情報を受信する受信ユニット（前記伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする）を更に含み、
前記第１処理ユニットは、更に、伝送時間帯ごとの前記相手側による送信情報に対し、当該伝送時間帯に対応するスクランブリングコードを確定し、確定したスクランブリングコードに基づいて、当該伝送時間帯の前記相手側による送信情報に対するスクランブル解析を行うことを特徴とする請求項１０に記載の情報伝送装置。
【請求項１９】
バスアーキテクチャと通常の処理を管理するプロセッサと、
プロセッサによる作業時に使用されるデータを記憶できるメモリと、
データを送受信するトランシーバとを含み、
前記プロセッサは、メモリからプログラムを読み出して、
情報が複数のサブフレームを含む重複伝送期間に重複伝送される必要がある場合、当該重複伝送期間に含まれる伝送時間帯ごとに対応するスクランブリングコード（伝送時間帯ごとが同一のスクランブリングコードに対応する）を確定するプロセスと、
伝送時間帯毎に、当該伝送時間帯に対応するスクランブリングコードを用いて、当該伝送時間帯内に伝送される情報の符号化後のビットストリームをスクランブルするプロセスと、
スクランブル後のビットストリームを前記トランシーバで相手側に送信するプロセスと
を実行することを特徴とする情報伝送装置。
【発明の詳細な説明】
【技術分野】
【０００１】
本願は、２０１５年４月９日に中国特許庁に提出された中国特許出願２０１５１０１６６７３５．６の優先権を主張し、その全ての内容が援用により本願に取り込まれる。
【０００２】
本公開は、通信技術分野に関し、特に情報伝送方法及び装置に関する。
【背景技術】
【０００３】
同一周波数の隣接セルの干渉をランダム化するには、ＬＴＥ（Ｌｏｎｇ  Ｔｅｒｍ  Ｅｖｏｌｕｔｉｏｎ）システムにおいて、シーケンススクランブル方式が応用されている。即ち、時間領域、周波数領域に擬似乱数列を導入することによって、干渉のランダム化を図る。ここで、擬似乱数列ｃ（ｎ）、即ちスクランブリングコード（Ｓｃｒａｍｂｌｉｎｇ  ｃｏｄｅ）は、シフトレジスタの長さＬ＝３１、周期が２３１−１であるＧｏｌｄコードである。スクランブリングコードの生成プロセスは、図１に示される。スクランブリングコードは、２つのシフトレジスタの長さＬ＝３１（ＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）の間の長さ）のｍシーケンスｘ１（ｉ）とｘ２（ｉ）の二進加算（ｍｏｄｕｌａｒ  ｔｗｏ  ａｄｄｉｔｉｏｎ）により生成される。
【０００４】
第１ｍシーケンスｘ１（ｉ）のシフトレジスタの生成のためのフィードバック多項式は、Ｄ３１＋Ｄ３＋Ｄ２＋Ｄ＋１である。ｘ１（ｎ）は、初期値がチャネルのタイプとシステム情報に関係し、その初期化周期がチャネルのタイプに関係する。第１ｍシーケンスの生成プロセスは、以下である。
ｃｉｎｉｔに基づいて、ｘ１（ｉ）（ｉ＝０，１，．．．，３０）を確定する。ここで、
【数１】
2018515968.tif 000003
【０００５】
第２ｍシーケンスｘ２（ｉ）のシフトレジスタの生成のためのフィードバック多項式は、Ｄ３１＋Ｄ３＋１である。初期シーケンス値は、
【数２】
2018515968.tif 000004
【０００６】
第１ｍシーケンスと第２ｍシーケンスの値を取得すると、Ｇｏｌｄシーケンスｃ（ｎ）を取得することができる。
【数３】
2018515968.tif 000005
【０００７】
ここで、第１ｍシーケンスは、チャネルのタイプとシステム情報に関係するが、第２ｍシーケンスは、所定のものである。例えば、上り下りデータを搬送するＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）では、各サブフレームの開始に第１ｍシーケンスの初期化が行われ、初期化の値ｃｉｎｉｔがセルＩＤの
【数４】
2018515968.tif 000006
、ＵＥ（Ｕｓｅｒ  Ｅｑｕｉｐｍｅｎｔ）のＲＮＴＩ（Ｒａｄｉｏ  Ｎｅｔｗｏｒｋ  Ｔｅｍｐｏｒａｒｙ  Ｉｄｅｎｔｉｔｙ）のｎＲＮＴＩ、コードワード番号ｑ及びタイムスロット番号ｎｓ（サブフレーム番号［ｎｓ／２］）に関係し、
【数５】
2018515968.tif 000007
類似に、ＰＤＣＣＨ（Ｐｈｙｓｉｃａｌ  Ｄｏｗｎｌｉｎｋ  ｃｏｎｔｒｏｌ  Ｃｈａｎｎｅｌ）では、各サブフレームの開始にも第１ｍシーケンスの初期化が行われ、初期化の値ｃｉｎｉｔがセルＩＤの
【数６】
2018515968.tif 000008
及びタイムスロット番号ｎｓ（サブフレーム番号［ｎｓ／２］）に関係し、
【数７】
2018515968.tif 000009
【０００８】
関連技術において、スクランブリングコードは、サブフレームの変化に伴って変化する第１ｍシーケンスと、第２ｍシーケンスの二進加算（ｍｏｄｕｌａｒ  ｔｗｏ  ａｄｄｉｔｉｏｎ）により生成されるため、同一物理チャネルで各サブフレーム上のスクランブリングコードもサブフレームに伴って変化することが分かる。
【０００９】
ＭＴＣ（Ｍａｃｈｉｎｅ  Ｔｙｐｅ  Ｃｏｍｍｕｎｉｃａｔｉｏｎｓ）プロジェクトにおいて、ディープディケイシーン（Ｄｅｅｐ  ｆａｄｉｎｇ  ｓｃｅｎａｒｉｏ）でのＭＴＣ機器のカバレッジ拡張のために、物理チャネルで時間領域での情報の重複送信により受信の信号対雑音比を向上させる方法が提案されている。最大１５ｄＢのカバレッジ拡張を達成するには、情報の重複送信の回数は、数十回、場合によって百回までに達する。情報の重複送信の回数をなるべく小さして、情報の重複送信によるシステムスペクトル効率の低下をなるべく軽減するには、サブフレームを跨るチャネル推定が効果的な手段である。サブフレームを跨るチャネル推定とは、チャネルの相関性を利用し、連続する複数のサブフレーム内の情報に基づいてジョイントチャネル推定を行うことである。典型的な処理方式として、複数のサブフレームチャネル推定の結果の加重平均を行うことである。対応して、データ部分のコヒーレント合成が行われる。コヒーレント合成の前提は、合成用の複数のサブフレームで送信される情報が同一であることである。しかし、関連技術において、干渉のランダム化のために同一物理チャネルのスクランブリングコードがサブフレームに伴って変化する。従来のスクランブル方法を使用すれば、コヒーレント合成用の複数のサブフレームで送信される情報が同一ではなくなり、相手側でコヒーレント合成が行われなくなる。
【００１０】
以上の記載をまとめると、関連技術では、各サブフレームで伝送される情報をスクランブルするにあたり、各サブフレームのスクランブリングコードがサブフレームに伴って変化するため、関連技術のスクランブル方法を使用してスクランブルすると、各サブフレームで送信される情報が同一ではなくなり、相手側において、コヒーレント合成用の複数のサブフレームで受信した情報が同一ではなくなり、コヒーレント合成を行うことができず、情報の重複送信によるシステムスペクトル効率低下の問題を克服することができない。
【発明の概要】
【発明が解決しようとする課題】
【００１１】
本公開の実施例は、伝送時間帯毎に、当該伝送時間帯に対応するスクランブリングコードを用いて、当該伝送時間帯内に伝送される情報をスクランブルすることによって、伝送時間帯ごとにおいて異なるサブフレームで送信されるスクランブル後の情報が同一となるようにし、相手側が当該伝送時間帯内に受信した情報のコヒーレント合成を行い、情報の重複送信によるシステムスペクトル効率低下の問題を克服することができるための情報伝送方法及び装置を提供する。
【課題を解決するための手段】
【００１２】
本公開の実施例は、ローカル側が、送信側としてその情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定することと、ローカル側が、伝送時間帯毎に、当該伝送時間帯に対応するスクランブリングコードを用いて、当該伝送時間帯内に伝送される情報の符号化後のビットストリームをスクランブルし、スクランブル後のビットストリームを相手側に送信することとを含む情報伝送方法を提供する。
【００１３】
本公開の実施例による上記方法において、伝送時間帯毎に、当該伝送時間帯に対応するスクランブリングコードを用いて当該伝送時間帯内に伝送される情報をスクランブルし、且つ伝送時間帯ごとが同一のスクランブリングコードに対応する。当該伝送時間帯内に伝送される情報が同一であり、当該伝送時間帯内に伝送される情報をスクランブルするスクランブリングコードが同一であるため、スクランブル後の情報が同一であり、即ち伝送時間帯ごとにおいて異なるサブフレームで送信されるスクランブル後の情報が同一である。すると、相手側は、当該伝送時間帯内に受信した情報のコヒーレント合成を行うことができる。関連技術において、各サブフレームのスクランブリングコードがサブフレームに伴って変化するため、スクランブル後の各サブフレームで送信される情報が異なり、相手側によるコヒーレント合成ができない。関連技術に比較し、本公開の実施例による上記方法において、伝送時間帯毎に、同一のスクランブリングコードを用いて当該伝送時間帯内に伝送される情報をスクランブルすることによって、伝送時間帯ごとにおいて異なるサブフレームで送信されるスクランブル後の情報が同一であり、相手側において、当該伝送時間帯内に受信した情報のコヒーレント合成を行い、情報の重複送信によるシステムスペクトル効率低下の問題を克服することができる。同時に、伝送時間帯ごとが同一のスクランブリングコードに対応し、異なる伝送時間帯に対応するスクランブリングコードが異なる可能性があるが、スクランブリングコードが情報の重複伝送期間にわたって伝送時間帯を単位として変化するため、ある程度で干渉ランダム化が保証される。
【００１４】
実施可能な実施形態として、本公開の実施例による上記方法において、前記ローカル側が前記重複伝送期間に含まれる伝送時間帯ごとに対応するスクランブリングコードを確定することは、具体的に、前記ローカル側が、前記重複伝送期間に含まれる、上りサブフレーム又は下りサブフレームを含む複数の連続サブフレームを含む各伝送時間帯を確定することと、前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することとを含む。
【００１５】
実施可能な実施形態として、本公開の実施例による上記方法において、前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することは、具体的に、前記ローカル側が、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを含む。
【００１６】
実施可能な実施形態として、本公開の実施例による上記方法において、前記重複伝送期間に含まれる伝送時間帯を確定する前に、前記複数の連続サブフレームのサブフレーム数を予めローカル側と相手側に記憶すること、又は、ローカル側と相手側のうちのネットワーク側により、前記複数の連続サブフレームのサブフレーム数を確定し、前記複数の連続サブフレームのサブフレーム数を相手側のユーザ機器に通知することを更に含む。
【００１７】
実施可能な実施形態として、本公開の実施例による上記方法において、前記ローカル側が前記重複伝送期間に含まれる伝送時間帯を確定することは、具体的に、前記ローカル側が、前記複数の連続サブフレームのサブフレーム数に基づいて、前記重複伝送期間の開始時刻を起点として、当該重複伝送期間に含まれる伝送時間帯を確定することを含む。
【００１８】
実施可能な実施形態として、本公開の実施例による上記方法において、ネットワーク側により前記複数の連続サブフレームの数を確定する場合、当該ネットワーク側が、相手側のユーザ機器のチャネル条件に基づいて、前記複数の連続サブフレームのサブフレーム数を確定する。
【００１９】
実施可能な実施形態として、本公開の実施例による上記方法において、前記ネットワーク側が前記複数の連続サブフレームのサブフレーム数を相手側のユーザ機器に通知することは、具体的に、前記ネットワーク側が、ハイレイヤシグナリング又は下り制御情報ＤＣＩ（Ｄｏｗｎｌｉｎｋ  Ｃｏｎｔｒｏｌ  Ｉｎｆｏｒｍａｔｉｏｎ）によって、前記複数の連続サブフレームのサブフレーム数を相手側のユーザ機器に通知することを含む。
【００２０】
実施可能な実施形態として、本公開の実施例による上記方法において、前記重複伝送期間の伝送時間帯ごとに対応するスクランブリングコードを予め前記ローカル側と前記相手側に記憶し、又は、前記ローカル側が、伝送時間帯ごとに対応するスクランブリングコードを相手側に送信することによって、前記相手側に対し、前記ローカル側からの送信メッセージを受信すると、伝送時間帯ごとに対応するスクランブリングコードで当該伝送時間帯の前記ローカル側による送信情報に対するスクランブル解析をするよう指示する。
【００２１】
実施可能な実施形態として、本公開の実施例による上記方法において、前記ローカル側が、受信側として相手側から伝送時間帯ごとに送信される情報を受信する（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）ことと、ローカル側が、伝送時間帯ごとの相手側による送信情報に対し、当該伝送時間帯に対応するスクランブリングコードを確定し、確定したスクランブリングコードに基づいて、当該伝送時間帯の前記相手側による送信情報に対するスクランブル解析を行うこととを更に含む。
【００２２】
本公開の実施例による情報伝送装置において、情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定する第１処理ユニットと、前記第１処理ユニットに接続され、伝送時間帯毎に、当該伝送時間帯に対応するスクランブリングコードを用いて、当該伝送時間帯内に伝送される情報の符号化後のビットストリームをスクランブルする第２処理ユニットと、前記第２処理ユニットに接続され、スクランブル後のビットストリームを相手側に送信するための送信ユニットとを含む。
【００２３】
本公開の実施例による上記装置において、伝送時間帯毎に、当該伝送時間帯に対応するスクランブリングコードを用いて当該伝送時間帯内に伝送される情報をスクランブルし、且つ伝送時間帯ごとが同一のスクランブリングコードに対応する。当該伝送時間帯内に伝送される情報が同一であり、当該伝送時間帯内に伝送される情報をスクランブルするスクランブリングコードが同一であるため、スクランブル後の情報が同一であり、即ち伝送時間帯ごとにおいて異なるサブフレームで送信されるスクランブル後の情報が同一である。すると、相手側は、当該伝送時間帯内に受信した情報のコヒーレント合成を行うことができる。関連技術において、各サブフレームのスクランブリングコードがサブフレームに伴って変化するため、スクランブル後の各サブフレームで送信される情報が異なり、相手側によるコヒーレント合成ができない。関連技術に比較し、本公開の実施例による上記装置において、伝送時間帯毎に、同一のスクランブリングコードを用いて当該伝送時間帯内に伝送される情報をスクランブルすることによって、伝送時間帯ごとにおいて異なるサブフレームで送信されるスクランブル後の情報が同一であり、相手側において、当該伝送時間帯内に受信した情報のコヒーレント合成を行い、情報の重複送信によるシステムスペクトル効率低下の問題を克服することができる。同時に、伝送時間帯ごとが同一のスクランブリングコードに対応し、異なる伝送時間帯に対応するスクランブリングコードが異なる可能性があるが、スクランブリングコードが情報の重複伝送期間にわたって伝送時間帯を単位として変化するため、ある程度で干渉ランダム化が保証される。
【００２４】
実施可能な実施形態として、本公開の実施例による上記装置において、前記第１処理ユニットが前記重複伝送期間に含まれる伝送時間帯ごとに対応するスクランブリングコードを確定することは、具体的に、前記第１処理ユニットが、前記重複伝送期間に含まれる、上りサブフレーム又は下りサブフレームを含む複数の連続サブフレームを含む各伝送時間帯を確定することと、前記第１処理ユニットが、伝送時間帯毎に、当該伝送時間帯内の複数の連続サブフレームのうち開始サブフレームのサブフレーム番号に基づいて、当該伝送時間帯に対応するスクランブリングコードを確定することとを含む。
【００２５】
実施可能な実施形態として、本公開の実施例による上記装置において、前記第１処理ユニットは、具体的に、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成する。
【００２６】
実施可能な実施形態として、本公開の実施例による上記装置において、前記複数の連続サブフレームのサブフレーム数を予め前記第１処理ユニットに記憶し、又は、当該装置がネットワーク側装置である場合、前記第１処理ユニットは、前記重複伝送期間に含まれる伝送時間帯を確定する前に、更に、前記複数の連続サブフレームのサブフレーム数を確定し、前記送信ユニットは、更に、前記複数の連続サブフレームのサブフレーム数をユーザ機器に通知する。
【００２７】
実施可能な実施形態として、本公開の実施例による上記装置において、前記第１処理ユニットが前記重複伝送期間に含まれる伝送時間帯を確定することは、具体的に、前記第１処理ユニットが、前記複数の連続サブフレームのサブフレーム数に基づいて、前記重複伝送期間の開始時刻を起点として、当該重複伝送期間に含まれる伝送時間帯を確定することを含む。
【００２８】
実施可能な実施形態として、本公開の実施例による上記装置において、前記第１処理ユニットが前記複数の連続サブフレームの数を確定することは、具体的に、前記第１処理ユニットが、ユーザ機器のチャネル条件に基づいて、前記複数の連続サブフレームのサブフレーム数を確定することを含む。
【００２９】
実施可能な実施形態として、本公開の実施例による上記装置において、前記送信ユニットが前記複数の連続サブフレームの数を前記ユーザ機器に通知することは、具体的に、前記送信ユニットが、ハイレイヤシグナリング又は下り制御情報ＤＣＩによって、前記複数の連続サブフレームの数を前記ユーザ機器に通知することを含む。
【００３０】
実施可能な実施形態として、本公開の実施例による上記装置において、前記重複伝送期間の伝送時間帯ごとに対応するスクランブリングコードを予め前記第１処理ユニットに記憶し、又は、前記送信ユニットは、更に、伝送時間帯ごとに対応するスクランブリングコードを相手側に送信することによって、前記相手側に対し、当該装置の存在するローカル側からの送信メッセージを受信すると、伝送時間帯ごとに対応するスクランブリングコードで当該伝送時間帯の当該装置の存在するローカル側による送信情報に対するスクランブル解析をするよう指示する。
【００３１】
実施可能な実施形態として、本公開の実施例による上記装置において、前記第１処理ユニットに接続され、相手側から伝送時間帯ごとに送信される情報を受信する受信ユニット（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）を更に含む。前記第１処理ユニットは、更に、伝送時間帯ごとの相手側による送信情報に対し、当該伝送時間帯に対応するスクランブリングコードを確定し、確定したスクランブリングコードに基づいて、当該伝送時間帯の相手側による送信情報に対するスクランブル解析を行う。
【００３２】
本公開の実施例による情報伝送装置は、バスアーキテクチャと通常の処理を管理するプロセッサと、プロセッサによる作業時に使用されるデータを記憶できるメモリと、データを送受信するためのトランシーバとを含む。プロセッサは、メモリからプログラムを読み出して、情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定するプロセスと、伝送時間帯毎に、当該伝送時間帯に対応するスクランブリングコードを用いて、当該伝送時間帯内に伝送される情報の符号化後のビットストリームをスクランブルするプロセスと、スクランブル後のビットストリームを前記トランシーバで相手側に送信するプロセスとを実行する。
【図面の簡単な説明】
【００３３】
【図１】図１は、関連技術におけるスクランブリングコード生成プロセスの原理図である。
【図２】図２は、本公開の実施例による情報伝送方法のフローチャートである。
【図３】図３は、本公開の実施例によるＰＤＳＣＨで複数のサブフレームを含む重複伝送期間の割当図である。
【図４】図４は、本公開の実施例によるＰＵＳＣＨで複数のサブフレームを含む重複伝送期間の割当図である。
【図５】図５は、本公開の実施例によるＰＵＣＣＨで複数のサブフレームを含む重複伝送期間の割当図である。
【図６】図６は、本公開の実施例によるＰＤＣＣＨで複数のサブフレームを含む重複伝送期間の割当図である。
【図７】図７は、本公開の実施例による情報伝送装置の構造図である。
【図８】図８は、本公開の実施例によるネットワーク側の他の情報伝送装置の構造図である。
【図９】図９は、本公開の実施例によるユーザ機器側の他の情報伝送装置の構造図である。
【発明を実施するための形態】
【００３４】
以下、図面を参照しながら、本公開の実施例による情報伝送方法及び装置の具体的な実施形態を詳細に説明する。
【００３５】
本公開の実施例による情報伝送方法は、図２に示すように、以下を含む。
ステップ２０２において、ローカル側が、送信側としてその情報が複数のサブフレームを含む重複伝送期間に重複伝送される必要がある場合、当該重複伝送期間に含まれる伝送時間帯ごとに対応するスクランブリングコードを確定する。ここで、伝送時間帯ごとが同一のスクランブリングコードに対応する。
ステップ２０４において、ローカル側は、伝送時間帯毎に、当該伝送時間帯に対応するスクランブリングコードを用いて、当該伝送時間帯内に伝送される情報の符号化後のビットストリームをスクランブルし、スクランブル後のビットストリームを相手側に送信する。
【００３６】
本公開の実施例による方法において、伝送時間帯毎に、当該伝送時間帯に対応するスクランブリングコードを用いて当該伝送時間帯内に伝送される情報をスクランブルし、且つ伝送時間帯ごとが同一のスクランブリングコードに対応する。当該伝送時間帯内に伝送される情報が同一であり、当該伝送時間帯内に伝送される情報をスクランブルするスクランブリングコードが同一であるため、スクランブル後の情報が同一であり、即ち伝送時間帯ごとにおいて異なるサブフレームで送信されるスクランブル後の情報が同一である。すると、相手側は、当該伝送時間帯内に受信した情報のコヒーレント合成を行うことができる。関連技術において、各サブフレームのスクランブリングコードがサブフレームに伴って変化するため、スクランブル後の各サブフレームで送信される情報が異なり、相手側によるコヒーレント合成ができない。関連技術に比較し、本公開の実施例による上記方法において、伝送時間帯毎に、同一のスクランブリングコードを用いて当該伝送時間帯内に伝送される情報をスクランブルすることによって、伝送時間帯ごとにおいて異なるサブフレームで送信されるスクランブル後の情報が同一であり、相手側において、当該伝送時間帯内に受信した情報のコヒーレント合成を行い、情報の重複送信によるシステムスペクトル効率低下の問題を克服することができる。同時に、伝送時間帯ごとが同一のスクランブリングコードに対応し、異なる伝送時間帯に対応するスクランブリングコードが異なる可能性があるが、スクランブリングコードが情報重複伝送期間にわたって伝送時間帯を単位として変化するため、ある程度で干渉ランダム化が保証される。
【００３７】
なお、情報の重複伝送期間は、少なくとも１つの伝送時間帯を含む。伝送時間帯ごとが同一のスクランブリングコードに対応するが、異なる伝送時間帯に対応するスクランブリングコードは、異なる可能性があり、同一である可能性もある。
【００３８】
なお、本公開の実施例において、物理チャネルで伝送される情報は、データ及び／又は制御情報などを含み、ローカル側と相手側は、ネットワーク側機器（例えば基地局）又はユーザ機器である。もちろん、ローカル側がネットワーク側機器であると、相手側は、ユーザ機器であり、ローカル側がユーザ機器であると、相手側は、ネットワーク側機器である。
【００３９】
実施可能な実施形態として、本公開の実施例による方法において、ローカル側が、相手側から伝送時間帯ごとに送信される情報を受信する（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）ことと、ローカル側が、伝送時間帯ごとの相手側による送信情報に対し、当該伝送時間帯に対応するスクランブリングコードを確定し、確定したスクランブリングコードに基づいて、当該伝送時間帯の相手側による送信情報に対するスクランブル解析を行うこととを更に含む。
【００４０】
具体的に実施する際に、相手側が、伝送時間帯ごとに情報を送信するにあたり、当該伝送時間帯に対応するスクランブリングコードを用いて、情報の符号化後のビットストリームをスクランブルするため、ローカル側は、伝送時間帯毎に、相手側からの送信情報を受信すると、当該伝送時間帯に対応するスクランブリングコードを確定する必要があり、それから確定したスクランブリングコードに基づいて、当該伝送時間帯の相手側による送信情報に対するスクランブル解析を行う。
【００４１】
実施可能な実施形態として、本公開の実施例による方法において、ローカル側が重複伝送期間に含まれる伝送時間帯ごとに対応するスクランブリングコードを確定することは、具体的に、ローカル側が、重複伝送期間に含まれる、上りサブフレーム又は下りサブフレームを含む複数の連続サブフレームを含む各伝送時間帯を確定することと、ローカル側が、伝送時間帯毎に、当該伝送時間帯内の複数の連続サブフレームのうち開始サブフレームのサブフレーム番号に基づいて、当該伝送時間帯に対応するスクランブリングコードを確定することとを含む。
【００４２】
具体的に実施する際に、伝送時間帯ごとに複数の連続サブフレームを含み、伝送時間帯ごとの複数の連続サブフレームのうち開始サブフレームのサブフレーム番号に基づいて、当該伝送時間帯に対応するスクランブリングコードを確定すると、伝送時間帯ごとが同一のスクランブリングコードに対応し、当該伝送時間帯に対応するスクランブリングコードを用いて、当該伝送時間帯に送信される情報をスクランブルすると、スクランブル後の情報が同一である。
【００４３】
なお、伝送時間帯ごとの複数の連続サブフレームのうち開始サブフレームのサブフレーム番号に基づいて、当該伝送時間帯に対応するスクランブリングコードを確定するので、任意の２つの伝送時間帯内の複数の連続サブフレームのうち開始サブフレームのサブフレーム番号が同一であると、当該２つの伝送時間帯に対応するスクランブリングコードが同一であるが、任意の２つの伝送時間帯内の複数の連続サブフレームのうち開始サブフレームのサブフレーム番号が異なると、当該２つの伝送時間帯に対応するスクランブリングコードが異なる。
【００４４】
実施可能な実施形態として、本公開の実施例による方法において、ローカル側が、伝送時間帯毎に、当該伝送時間帯内の複数の連続サブフレームのうち開始サブフレームのサブフレーム番号に基づいて、当該伝送時間帯に対応するスクランブリングコードを確定することは、具体的に、ローカル側が、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを含む。
【００４５】
具体的に実施する際に、スクランブリングコードは、チャネルのタイプとシステム情報に関係する第１ｍシーケンスと、第２ｍシーケンスを含む。例えば、上り下りデータを搬送するＰＤＳＣＨとＰＵＳＣＨでは、各サブフレームの開始に第１ｍシーケンスの初期化が行われ、初期化の値ｃｉｎｉｔがセルＩＤの
【数８】
2018515968.tif 000010
、ＵＥのＲＮＴＩのｎＲＮＴＩ、コードワード番号ｑ及びタイムスロット番号ｎｓ（サブフレーム番号［ｎｓ／２］）に関係し、
【数９】
2018515968.tif 000011
類似に、ＰＤＣＣＨでは、各サブフレームの開始にも第１ｍシーケンスの初期化が行われ、初期化の値ｃｉｎｉｔがセルＩＤの
【数１０】
2018515968.tif 000012
及びタイムスロット番号ｎｓ（サブフレーム番号［ｎｓ／２］）に関係し、
【数１１】
2018515968.tif 000013
【００４６】
従って、伝送時間帯ごとに対応するスクランブリングコードを確定するにあたり、まず当該伝送時間帯内の複数の連続サブフレームのうち開始サブフレームのサブフレーム番号に基づいて、当該伝送時間帯に対応するスクランブリングコードの中の第１ｍシーケンスを初期化し、それから当該第１ｍシーケンスと所定の第２ｍシーケンスに基づいて、当該伝送時間帯に対応するスクランブリングコードを生成する。例えば、第１ｍシーケンスと第２ｍシーケンスの二進加算（Ｍｏｄｕｌａｒ  ｔｗｏ  ａｄｄｉｔｉｏｎ）によりスクランブリングコードを生成する。
【００４７】
実施可能な実施形態として、本公開の実施例による方法において、重複伝送期間に含まれる伝送時間帯を確定する前に、複数の連続サブフレームのサブフレーム数を予めローカル側と相手側に記憶すること、又は、ローカル側と相手側のうちのネットワーク側により、複数の連続サブフレームのサブフレーム数を確定し、複数の連続サブフレームのサブフレーム数を相手側のユーザ機器に通知することを更に含む。
【００４８】
実施可能な実施形態として、本公開の実施例による方法において、ローカル側が重複伝送期間に含まれる伝送時間帯を確定することは、具体的に、ローカル側が、複数の連続サブフレームのサブフレーム数に基づいて、重複伝送期間の開始時刻を起点として、当該重複伝送期間に含まれる伝送時間帯を確定することを含む。
【００４９】
具体的に実施する際に、ローカル側と相手側は、プロトコルの規定に基づいて、複数の連続サブフレームのサブフレーム数を予め記憶してもよく、ローカル側又は相手側のうちのネットワーク側により複数の連続サブフレームのサブフレーム数を確定してユーザ機器に通知してもよい。伝送時間帯ごとの複数の連続サブフレームのサブフレーム数を確定した後に、重複伝送期間の開始時刻を起点として、当該重複伝送期間に含まれる伝送時間帯を確定し、更に、伝送時間帯ごとに対応するスクランブリングコードを確定し、当該伝送時間帯に対応するスクランブリングコードを用いて、当該伝送時間帯に伝送される情報をスクランブルし、スクランブル後の情報を相手側に送信する。
【００５０】
実施可能な実施形態として、本公開の実施例による方法において、重複伝送期間の伝送時間帯ごとに対応するスクランブリングコードを予めローカル側と相手側に記憶し、又は、ローカル側が、伝送時間帯ごとに対応するスクランブリングコードを相手側に送信することによって、相手側に対し、ローカル側からの送信メッセージを受信すると、伝送時間帯ごとに対応するスクランブリングコードで当該伝送時間帯のローカル側による送信情報に対するスクランブル解析をするよう指示する。
【００５１】
具体的に実施する際に、ローカル側と相手側に複数の連続サブフレームのサブフレーム数を予め記憶してもよく、ローカル側又は相手側のうちのネットワーク側により複数の連続サブフレームのサブフレーム数を確定してユーザ機器に通知し、ユーザ機器が複数の連続サブフレームのサブフレーム数に基づいて伝送時間帯ごとに対応するスクランブリングコードを確定してもよい。
【００５２】
もちろん、選択可能な実施例として、重複伝送期間の伝送時間帯ごとに対応するスクランブリングコードを予めローカル側と相手側に記憶し、又は、ローカル側が、伝送時間帯ごとに対応するスクランブリングコードを相手側に送信することによって、相手側に対し、ローカル側からの送信メッセージを受信すると、伝送時間帯ごとに対応するスクランブリングコードで当該伝送時間帯のローカル側による送信情報に対するスクランブル解析をするよう指示する。
【００５３】
実施可能な実施形態として、本公開の実施例による方法において、ローカル側が、受信側として相手側から伝送時間帯ごとに送信される情報を受信する（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）ことと、ローカル側が、伝送時間帯ごとの相手側による送信情報に対し、当該伝送時間帯に対応するスクランブリングコードを確定し、確定したスクランブリングコードに基づいて、当該伝送時間帯の相手側による送信情報に対するスクランブル解析を行うこととを更に含む。
【００５４】
具体的に実施する際に、相手側が、伝送時間帯ごとに情報を送信するにあたり、当該伝送時間帯に対応するスクランブリングコードを用いて、情報の符号化後のビットストリームをスクランブルするので、ローカル側は、伝送時間帯毎に相手側からの送信情報を受信すると、当該伝送時間帯に対応するスクランブリングコードを確定する必要があり、それから確定したスクランブリングコードに基づいて、当該伝送時間帯の相手側による送信情報に対するスクランブル解析を行う。
【００５５】
以下、具体的な実施例と結び付けて、ＰＤＳＣＨ、ＰＵＳＣＨ、ＰＵＣＣＨ及びＰＤＣＣＨで複数のサブフレームを含む重複伝送期間の割当及び本公開の実施例による情報伝送方法を説明する。
【００５６】
少なくとも１つの実施例において、ＤＬ−ＳＣＨ（Ｄｏｗｎｌｉｎｋ  Ｓｈａｒｅｄ  Ｃｈａｎｎｅｌ）ＴＢ（Ｔｒａｎｓｐｏｒｔ  Ｂｌｏｃｋ）を搬送するＰＤＳＣＨを例とする。基地局は、ユーザ機器のチャネル条件に基づいて、当該ＵＥに対し、重複伝送期間に含まれる複数のサブフレームのサブフレーム数が１０より小さいと確定する。基地局は、ＵＥ専用のＲＲＣ（Ｒａｄｉｏ  Ｒｅｓｏｕｒｃｅ  Ｃｏｎｔｒｏｌ）シグナリングによって、伝送時間帯ごとに含まれる複数のサブフレームのサブフレーム数Ｔ＝８をＵＥに対し設定する。基地局は、一回のスケジューリンググラント（Ｓｃｈｅｄｕｌｉｎｇ  ｇｒａｎｔ）によって、ＵＥにＲ＝８個サブフレームの下り物理リソースを割り当て、同一ＴＢの重複伝送に用いる。即ち重複伝送期間に８個のサブフレームを含む。第ｉ個サブフレームのスクランブリングコードは、第［ｉ／Ｔ］×Ｔ（ｉ＝０，１，…，Ｒ−１）個サブフレームのサブフレーム番号により決められる。即ち、常に、割り当てれた第０個サブフレームのサブフレーム番号に基づいて、割り当てられた全てのＲ個のサブフレームでＰＤＳＣＨ伝送用のスクランブリングコードを確定する。
【００５７】
具体的に、ＦＤＤ（Ｆｒｅｑｕｅｎｃｙ  Ｄｉｖｉｓｉｏｎ  Ｄｕｐｌｅｘ）を例とする。図３に示すように、基地局は、ＵＥに対し無線フレーム＃Ｍのサブフレーム＃５からの連続８個のサブフレームのリソースを割り当てて同一のＤＬ−ＳＣＨ  ＴＢの重複伝送に用いるとする。基地局は、関連フローに従って、ＴＢのチャンネル符号化後のビットストリームに対しベースバンド信号処理を行う。具体的に、各コードワードｑに対し、スクランブル前のデータビットストリームを
【数１２】
2018515968.tif 000014
【００５８】
ここで、擬似乱数列ｃ（ｉ）、即ちスクランブリングコードは、２つのｍシーケンスの二進加算（Ｍｏｄｕｌａｒ  ｔｗｏ  ａｄｄｉｔｉｏｎ）により生成される。
【数１３】
2018515968.tif 000015
ここで、Ｎｃ＝１６００。第１ｍシーケンスは、
【数１４】
2018515968.tif 000016
に基づいて初期化される。ここで、
【数１５】
2018515968.tif 000017
第２ｍシーケンスは、
【数１６】
2018515968.tif 000018
に基づいて初期化される。
【００５９】
スクランブリングコードＣ（ｑ）（ｉ）は、前記８個のサブフレームの各サブフレームで同一である。ｎｓは、常に基地局から割り当てられた第０個のサブフレームによって決められる。即ちタイムスロット番号ｎｓ＝１０であり、サブフレーム番号［ｎｓ／２］＝５である。更に、基地局によるシングルコードワード伝送とすると、即ちｑ＝０の場合、
【数１７】
2018515968.tif 000019
【００６０】
対応して、ＵＥは、基地局のスケジューリンググラントを受信してリソース割当情報を取得する。割り当てられた８個の連続サブフレームにおいて、同一のスクランブリングコードＣ（ｑ）（ｉ）を用いてＰＤＳＣＨに対しスクランブル解析を行う。しかもスクランブリングコードのうち第１ｍシーケンスの初期化は、第０個サブフレームによって決められ、即ち
【数１８】
2018515968.tif 000020
によって第１ｍシーケンスの初期化を行う。ここで、サブフレーム番号［ｎｓ／２］＝５である。
【００６１】
少なくとも１つの実施例において、ＵＬ−ＳＣＨ（Ｕｐｌｉｎｋ  Ｓｈａｒｅｄ  Ｃｈａｎｎｅｌ）ＴＢを搬送するＰＵＳＣＨを例とする。基地局は、一回のスケジューリンググラントによってＵＥに対しＲ＝２０個のサブフレームの上り物理リソースを割り当て、同一ＴＢの複数回伝送に用いる。即ち、重複伝送期間に含まれる複数のサブフレームのサブフレーム数は、２０である。同時に、基地局は、ＵＥのチャネル条件に基づいて、サブフレームを跨るチャネル推定のサブフレーム数を４と確定する。しかも、ＤＣＩによってＵＥに対し前記サブフレームを跨るチャネル推定のサブフレーム数を指示する。伝送時間帯ごとに含まれる複数の連続サブフレームのサブフレーム数は、サブフレームを跨るチャネル推定のサブフレーム数に等しい。すると、伝送時間帯ごとに含まれる連続サブフレームのサブフレーム数がＴ＝４である。すると、第ｉ個サブフレームのスクランブリングコードシーケンスの初期化は、第［ｉ／Ｔ］×Ｔ（ｉ＝０，１，…，Ｒ−１）個サブフレームのサブフレーム番号によって決められる。
【００６２】
具体的にＦＤＤを例とする。図４に示すように、基地局がＵＥに対し無線フレーム＃Ｍのサブフレーム＃５からの連続２０個サブフレームのリソースを割り当てて同一のＵＬ−ＳＣＨ  ＴＢの複数回伝送に用いる。基地局は、関連フローに従ってＴＢのチャネル符号化後のビットストリームに対しベースバンド信号処理を行う。具体的に、スクランブル前のデータビットストリームを
ｂ（０），．．．，ｂ（Ｍｂｉｔ−１）（Ｍｂｉｔは、伝送されるビット数である。）とすると、下の式に従ってスクランブルし、スクランブル後のシーケンスは、
【数１９】
2018515968.tif 000021
である。
【００６３】
【数２０】
2018515968.tif 000022
【００６４】
ここで、擬似乱数列ｃ（ｉ）は、生成方式が上述のＤＬ−ＳＣＨ  ＴＢを搬送するＰＤＳＣＨに関して記載した少なくとも１つの実施例における生成方式とは同一であり、即ち２つのｍシーケンスの二進加算（Ｍｏｄｕｌａｒ  ｔｗｏ  ａｄｄｉｔｉｏｎ）により生成される。第１ｍシーケンスの初期化について、
【数２１】
2018515968.tif 000023
に基づいて初期化値を確定する。ここで、ｑ＝０、即ち
【数２２】
2018515968.tif 000024
【００６５】
擬似乱数列ｃ（ｉ）は、前記２０個サブフレームのうちの４個毎のサブフレームで同一であり、即ち無線フレーム＃Ｍのサブフレーム＃５、＃６、＃７、＃８のスクランブリングコードが同一であり、無線フレーム＃Ｍのサブフレーム＃９、無線フレーム＃Ｍ＋１のサブフレーム＃０、＃１、＃２のスクランブリングコードが同一であり、無線フレーム＃Ｍ＋１のサブフレーム＃３、＃４、＃５、＃６のスクランブリングコードが同一であり、無線フレーム＃Ｍ＋１のサブフレーム＃７、＃８、＃９、無線フレーム＃Ｍ＋２のサブフレーム＃０のスクランブリングコードが同一であり、無線フレーム＃Ｍ＋２のサブフレーム１、２、３、４のスクランブリングコードが同一である。ここで、ｎｓは、スクランブリングコードが同一でる４個サブフレームのうちの第１個サブフレームのサブフレーム番号によって決められる。例えば、無線フレーム＃Ｍのサブフレーム＃５、６、７、８の場合、ｎｓ＝１０であり、サブフレーム番号［ｎｓ／２］＝５である。無線フレーム＃Ｍ＋２のサブフレーム１、２、３、４の場合、ｎｓ＝２であり、サブフレーム番号［ｎｓ／２］＝１である。
【００６６】
少なくとも１つの実施例において、ＰＵＣＣＨ  ｆｏｒｍａｔ  ２でＵＬ−ＳＣＨ  ＴＢを搬送することを例とする。基地局は、一回のスケジューリンググラントによって、端末に対しＲ＝２０個のサブフレームの上り物理リソースを割り当て、同一ＴＢの複数回の伝送に用いる。即ち、重複伝送期間に含まれる複数のサブフレームのサブフレーム数は、２０である。基地局とＵＥは、プロトコルによって、伝送時間帯に含まれる複数の連続サブフレームのサブフレーム数Ｔ＝２と規定する。各サブフレームで、ＰＵＣＣＨは、ＵＬ−ＳＣＨ  ＴＢのチャネル符号化後の一部のビットストリームを搬送し、且つ連続２個のサブフレームでは、同一の符号化後のビットストリームを搬送する。すると、第ｉ個サブフレームのスクランブリングコードシーケンスの初期化は、第［ｉ／Ｔ］×Ｔ（ｉ＝０，１，…，Ｒ−１）個のサブフレームのサブフレーム番号によって決められる。
【００６７】
具体的にＴＤＤ（Ｔｉｍｅ  Ｄｉｖｉｓｉｏｎ  Ｄｕｐｌｅｘ）の上り下り配置１を例とする。図５に示すように、基地局は、ＵＥに対し無線フレーム＃Ｍ〜無線フレーム＃Ｍ＋４におけるサブフレーム＃２、＃３、＃７、＃８の計２０個のサブフレームのリソースを割り当ててＰＵＣＣＨ伝送に用いる。ＵＥは、関連フローに従って、２０ビットのビットストリームｂ（０），．．．，ｂ（１９）に対しスクランブル処理を行う。具体的に、
【数２３】
2018515968.tif 000025
【００６８】
ここで、擬似乱数列ｃ（ｉ）は、生成方式が上述のＤＬ−ＳＣＨ  ＴＢを搬送するＰＤＳＣＨに関して記載した少なくとも１つの実施例における生成方式とは同一であり、即ち２つのｍシーケンスの二進加算（Ｍｏｄｕｌａｒ  ｔｗｏ  ａｄｄｉｔｉｏｎ）により生成される。第１ｍシーケンスの初期化は、
【数２４】
2018515968.tif 000026
に基づいて初期化値を確定する。
【００６９】
擬似乱数列ｃ（ｉ）は、前記２０個サブフレームの２個毎のサブフレームで同一であり、即ち無線フレーム＃Ｍのサブフレーム＃２、＃３のスクランブリングコードが同一であり、無線フレーム＃Ｍのサブフレーム＃７、＃８のスクランブリングコードが同一である。これをもって類推すると、無線フレーム＃Ｍ＋４のサブフレーム＃７、＃８のスクランブリングコードが同一である。ｎｓは、スクランブリングコードが同一である２個のサブフレームのうちの第１個のサブフレームのサブフレーム番号によって決められる。無線フレーム＃Ｍのサブフレーム＃２、＃３の場合、ｎｓ＝４であり、サブフレーム番号［ｎｓ／２］＝２である。無線フレーム＃Ｍのサブフレーム＃７、＃８の場合、ｎｓ＝１４であり、サブフレーム番号［ｎｓ／２］＝７である。スクランブリングコードシーケンスの初期化は、サブフレーム番号のみに関係し、無線フレーム番号に関係がないため、無線フレーム＃Ｍのサブフレーム＃２、＃３のスクランブリングコードと無線フレーム＃Ｍ＋１、Ｍ＋２、Ｍ＋３、Ｍ＋４のサブフレーム＃２、＃３のスクランブリングコードとは同一である。同様に、無線フレーム＃Ｍのサブフレーム＃７、＃８のスクランブリングコードと無線フレーム＃Ｍ＋１、Ｍ＋２、Ｍ＋３、Ｍ＋４のサブフレーム＃７、＃８のスクランブリングコードとは同一である。
【００７０】
少なくとも１つの実施例において、ＤＣＩを搬送するＰＤＣＣＨを例とする。基地局は、システムブロードキャストによって、伝送時間帯に含まれる複数の連続サブフレームのサブフレーム数Ｔを通知する。基地局は、特定のサブフレームから連続Ｔ個のサブフレームで同一のスクランブリングコードを用いてＰＤＣＣＨをスクランブルする。更に、スクランブリングコードシーケンスは、複数の連続サブフレームの第１個のサブフレームによって決められる。
【００７１】
具体的に、ＴＤＤ上り下り配置１を例とする。図６に示すように、プロトコルによって、（Ａ×ＳＦＮ＋ｉ−ｏｆｆｓｅｔ）ｍｏｄ  Ｔ＝０のサブフレームからの連続Ｔ個の下りサブフレームで、ＰＤＣＣＨのスクランブリングコードが同一であり、且つＴ個の下りサブフレームのうちの第１個サブフレームのサブフレーム番号に基づいてスクランブリングコードを確定すると規定する。ここで、Ａは、１つの無線フレームのうちの下りサブフレーム数であり、ＦＤＤの場合、Ａ＝１０である。ｉは、１つの無線フレームのうちの下りサブフレームの番号であり、ＴＤＤ上り下り配置１を例とし、サブフレーム＃０であると、ｉ＝０であり、サブフレーム＃４であると、ｉ＝１であり、サブフレーム＃５であると、ｉ＝２である。サブフレーム９であると、ｉ＝３である。ＦＤＤの場合、ｉは、サブフレーム番号に等しい。
【００７２】
基地局は、ｏｆｆｓｅｔ＝１をシステムブロードキャストすると、（４×ＳＦＮ＋ｉ−１）ｍｏｄ  ２＝０からの連続２個のサブフレームで、ＰＤＣＣＨで同一のスクランブリングコードが使用され、ｉ＝０，１，２，３は、それぞれサブフレーム０、４、５、９に対応する。即ち同一無線フレームでサブフレーム＃４、＃５のスクランブリングコードが同一であり、無線フレーム＃Ｍのサブフレーム＃９と無線フレーム＃Ｍ＋１のサブフレーム＃０のスクランブリングコードとは同一である。
【００７３】
基地局は、既存のフローに従って、ビットストリーム
【数２５】
2018515968.tif 000027
に対しスクランブル処理を行う。具体的に、
【数２６】
2018515968.tif 000028
【００７４】
ここで、擬似乱数列ｃ（ｉ）は、同一無線フレーム内のサブフレーム＃４、＃５で同一であり、無線フレーム＃Ｍのサブフレーム＃９と無線フレーム＃Ｍ＋１のサブフレーム＃０で同一である。擬似乱数列ｃ（ｉ）は、生成方式が上述のＤＬ−ＳＣＨ  ＴＢを搬送するＰＤＳＣＨに関して記載した少なくとも１つの実施例における生成方式とは同一であり、即ち２つのｍシーケンスの二進加算（Ｍｏｄｕｌａｒ  ｔｗｏ  ａｄｄｉｔｉｏｎ）によって生成される。第１ｍシーケンスの初期化は、
【数２７】
2018515968.tif 000029
に基づいて初期化値を確定する。
ここで、ｎｓは、スクランブリングコードが同一である２個サブフレームのうちの第１個サブフレームのサブフレーム番号によって決められる。同一無線フレーム内のサブフレーム＃４、＃５の場合、ｎｓ＝８であり、サブフレーム番号［ｎｓ／２］＝４である。無線フレーム＃Ｍのサブフレーム＃９と無線フレーム＃Ｍ＋１のサブフレーム＃０の場合、ｎｓ＝１８であり、サブフレーム番号［ｎｓ／２］＝９である。
【００７５】
実施可能な実施形態として、本公開の実施例による方法において、ネットワーク側により複数の連続サブフレームの数を確定する場合、当該ネットワーク側が、相手側のユーザ機器のチャネル条件に基づいて、複数の連続サブフレームのサブフレーム数を確定する。
【００７６】
具体的に実施する際に、ネットワーク側は、ユーザ機器のチャネルコヒーレント時間に基づいて、複数の連続サブフレームのサブフレーム数を確定する。
【００７７】
実施可能な実施形態として、本公開の実施例による方法において、ネットワーク側が複数の連続サブフレームのサブフレーム数を相手側のユーザ機器に通知することは、具体的に、ネットワーク側が、ハイレイヤシグナリング又は下り制御情報ＤＣＩによって、複数の連続サブフレームのサブフレーム数を相手側のユーザ機器に通知することを含む。ここで、ハイレイヤシグナリングは、ＲＲＣ専用シグナリング、システムブロードキャストなどであってもよい。
【００７８】
本公開の実施例による情報伝送装置は、図７に示すように、情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定する第１処理ユニット７０２と、第１処理ユニット７０２に接続され、伝送時間帯毎に、当該伝送時間帯に対応するスクランブリングコードを用いて、当該伝送時間帯内に伝送される情報の符号化後のビットストリームをスクランブルする第２処理ユニット７０４と、前記第２処理ユニット７０４に接続され、スクランブル後のビットストリームを相手側に送信するための送信ユニット７０６とを含む。
【００７９】
本公開の実施例による装置において、伝送時間帯毎に、当該伝送時間帯に対応するスクランブリングコードを用いて当該伝送時間帯内に伝送される情報をスクランブルし、且つ伝送時間帯ごとが同一のスクランブリングコードに対応する。当該伝送時間帯内に伝送される情報が同一であり、当該伝送時間帯内に伝送される情報をスクランブルするスクランブリングコードが同一であるため、スクランブル後の情報が同一であり、即ち伝送時間帯ごとにおいて異なるサブフレームで送信されるスクランブル後の情報が同一である。すると、相手側は、当該伝送時間帯内に受信した情報のコヒーレント合成を行うことができる。関連技術において、各サブフレームのスクランブリングコードがサブフレームに伴って変化するため、スクランブル後の各サブフレームで送信される情報が異なり、相手側によるコヒーレント合成ができない。関連技術に比較し、本公開の実施例による上記装置において、伝送時間帯毎に、同一のスクランブリングコードを用いて当該伝送時間帯内に伝送される情報をスクランブルすることによって、伝送時間帯ごとにおいて異なるサブフレームで送信されるスクランブル後の情報が同一であり、相手側において、当該伝送時間帯内に受信した情報のコヒーレント合成を行い、情報の重複送信によるシステムスペクトル効率低下の問題を克服することができる。同時に、伝送時間帯ごとが同一のスクランブリングコードに対応し、異なる伝送時間帯に対応するスクランブリングコードが異なる可能性があるが、スクランブリングコードが情報の重複伝送期間にわたって伝送時間帯を単位として変化するため、ある程度で干渉ランダム化が保証される。
【００８０】
実施可能な実施形態として、本公開の実施例による装置において、第１処理ユニット７０２が前記重複伝送期間に含まれる伝送時間帯ごとに対応するスクランブリングコードを確定することは、具体的に、第１処理ユニット７０２が、重複伝送期間に含まれる、上りサブフレーム又は下りサブフレームを含む複数の連続サブフレームを含む各伝送時間帯を確定することと、前記第１処理ユニット７０２が、伝送時間帯毎に、当該伝送時間帯内の複数の連続サブフレームのうち開始サブフレームのサブフレーム番号に基づいて、当該伝送時間帯に対応するスクランブリングコードを確定することとを含む。
【００８１】
実施可能な実施形態として、本公開の実施例による装置において、第１処理ユニットは７０２、具体的に、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成する。
【００８２】
実施可能な実施形態として、本公開の実施例による装置において、複数の連続サブフレームのサブフレーム数を予め第１処理ユニット７０２に記憶し、又は、当該装置がネットワーク側装置である場合、第１処理ユニット７０２は、重複伝送期間に含まれる伝送時間帯を確定する前に、更に、複数の連続サブフレームのサブフレーム数を確定し、送信ユニット７０６は、更に、複数の連続サブフレームのサブフレーム数をユーザ機器に通知する。
【００８３】
実施可能な実施形態として、本公開の実施例による装置において、第１処理ユニット７０２が重複伝送期間に含まれる伝送時間帯を確定することは、具体的に、第１処理ユニット７０２が、複数の連続サブフレームのサブフレーム数に基づいて、重複伝送期間の開始時刻を起点として、当該重複伝送期間に含まれる伝送時間帯を確定することを含む。
【００８４】
実施可能な実施形態として、本公開の実施例による装置において、第１処理ユニット７０２が複数の連続サブフレームの数を確定することは、具体的に、第１処理ユニット７０２が、ユーザ機器のチャネル条件に基づいて、複数の連続サブフレームのサブフレーム数を確定することを含む。
【００８５】
実施可能な実施形態として、本公開の実施例による装置において、送信ユニット７０６が複数の連続サブフレームの数をユーザ機器に通知することは、具体的に、送信ユニット７０６が、ハイレイヤシグナリング又は下り制御情報ＤＣＩによって、複数の連続サブフレームの数をユーザ機器に通知することを含む。
【００８６】
実施可能な実施形態として、本公開の実施例による装置において、重複伝送期間の伝送時間帯ごとに対応するスクランブリングコードを予め第１処理ユニット７０２に記憶し、又は、送信ユニット７０６は、更に、伝送時間帯ごとに対応するスクランブリングコードを相手側に送信することによって、相手側に対し、当該装置の存在するローカル側からの送信メッセージを受信すると、伝送時間帯ごとに対応するスクランブリングコードで当該伝送時間帯の当該装置の存在するローカル側による送信情報に対するスクランブル解析をするよう指示する。
【００８７】
実施可能な実施形態として、本公開の実施例による装置において、第１処理ユニット７０２に接続され、相手側から伝送時間帯ごとに送信される情報を受信する受信ユニット７０８（伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）を更に含む。第１処理ユニット７０２は、更に、伝送時間帯ごとの相手側による送信情報に対し、当該伝送時間帯に対応するスクランブリングコードを確定し、確定したスクランブリングコードに基づいて、当該伝送時間帯の相手側による送信情報に対するスクランブル解析を行う。
【００８８】
本公開の実施例による情報伝送装置は、ネットワーク側機器とユーザ機器の一部としてネットワーク側機器とユーザ機器に集成されてもよい。例えば、第１処理ユニット７０２と第２処理ユニット７０４は、ＣＰＵなどのプロセッサを採用することができる。第１処理ユニット７０２と第２処理ユニット７０４は、ＣＰＵなどの２つのプロセッサを採用してもよく、ＣＰＵなどの同一プロセッサを採用してもよい。送信ユニット７０６は、送信機又は信号発射機などを採用し、受信ユニット７０８は、受信機又は信号受信機などを採用することができる。
【００８９】
本公開の実施例による情報伝送装置の存在するローカル側又は相手側がネットワーク側機器である場合、本公開の実施例による他の情報伝送装置は、図８に示すように、プロセッサ８１と、メモリ８２と、プロセッサ８１による制御でデータを送受信するためのトランシーバ８３とを含む。具体的に、プロセッサ８１は、メモリ８２からプログラムを読み出して、情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定するプロセスと、伝送時間帯毎に、当該伝送時間帯に対応するスクランブリングコードを用いて、当該伝送時間帯内に伝送される情報の符号化後のビットストリームをスクランブルするプロセスと、スクランブル後の情報をトランシーバ８３で相手側に送信するプロセスと、ユーザ機器から伝送時間帯ごとに送信される情報をトランシーバ８３で受信するプロセス（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）と、当該伝送時間帯に対応するスクランブリングコードを確定し、確定したスクランブリングコードに基づいて、当該伝送時間帯のユーザ機器による送信情報に対するスクランブル解析を行うプロセスを実行する。
【００９０】
ここで、図８において、バスアーキテクチャは、任意数の相互接続するバスとブリッジを含み、具体的に、プロセッサ８１をはじめとする１つ又は複数のプロセッサとメモリ８２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー８３は、複数の部品であってもよく、即ち送信機と受信機を含み、伝送媒体でほかの各種類の装置と通信するユニットとして提供される。プロセッサ８１は、バスアーキテクチャと通常の処理を管理する。メモリ８２は、プロセッサ８１による作業時に使用されるデータを記憶できる。
【００９１】
本公開の実施例による情報伝送装置の存在するローカル側又は相手側がユーザ機器である場合、本公開の実施例によるほかの情報伝送装置は、図９に示すように、プロセッサ９１と、メモリ９２と、プロセッサ９１による制御でデータを送受信するためのトランシーバ９３と、ユーザインタフェース９４とを含む。具体的に、プロセッサ９１は、メモリ９２からプログラムを読み出して、情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する。）を確定するプロセスと、伝送時間帯毎に、当該伝送時間帯に対応するスクランブリングコードを用いて、当該伝送時間帯内に伝送される情報の符号化後のビットストリームをスクランブルするプロセスと、スクランブル後の情報をトランシーバ９３でネットワーク側に送信するプロセスと、ネットワーク側から伝送時間帯ごとに送信される情報をトランシーバ９３で受信するプロセス（ここで、伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする。）と、当該伝送時間帯に対応するスクランブリングコードを確定し、確定したスクランブリングコードに基づいて、当該伝送時間帯のユーザ機器による送信情報に対するスクランブル解析を行うプロセスを実行する。
【００９２】
ここで、図９において、バスアーキテクチャは、任意数の相互接続するバスとブリッジを含み、具体的に、プロセッサ９１をはじめとする１つ又は複数のプロセッサとメモリ９２をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバー９３は、複数の部品であってもよく、即ち送信機と受信機を含み、伝送媒体でほかの各種類の装置と通信するユニットとして提供される。ユーザ機器によっては、ユーザインタフェース９４は、必要な機器を内部接続や外部接続するためのインタフェースであってもよい。接続する機器は、キーパッド、ディスプレイ、スピーカ、マイクロフォン、ジョイスティックなどを含むが、それらに限られない。
【００９３】
プロセッサ９１は、バスアーキテクチャと通常の処理を管理する。メモリ９２は、プロセッサ９１による作業時に使用されるデータを記憶できる。
【００９４】
以上の記載をまとめると、本公開の実施例による情報伝送方法及び装置において、伝送時間帯毎に、当該伝送時間帯に対応するスクランブリングコードを用いて当該伝送時間帯内に伝送される情報をスクランブルする。伝送時間帯ごとが同一のスクランブリングコードに対応する。当該伝送時間帯内に伝送される情報が同一であり、当該伝送時間帯に伝送される伝送情報をスクランブルするスクランブリングコードが同一であるため、スクランブル後の情報が同一であり、即ち伝送時間帯ごとに異なるサブフレームで送信されるスクランブル後の情報が同一である。すると、相手側は、当該伝送時間帯内に受信した情報のコヒーレント合成を行うことができ、情報の重複送信によるシステムスペクトル効率低下の問題を克服することができる。同時に、伝送時間帯ごとが同一のスクランブリングコードに対応し、異なる伝送時間帯に対応するスクランブリングコードが異なる可能性があるが、スクランブリングコードが情報の重複伝送期間にわたって伝送時間帯を単位として変化するため、ある程度で干渉ランダム化が保証される。
【００９５】
本公開の実施例は、方法、システム、又はコンピュータプログラムプロダクトとして提供されうると当業者が理解できる。従って、本公開は、完全にハードウェアの実施例、完全にソフトウェアの実施例、又はソフトウェアとハードウェアを組み合わせた実施例の形態を取り得る。しかも、本公開は、コンピュータ利用可能なプログラムコードを含む１つ又は複数のコンピュータ利用可能な記憶媒体（磁気ディスクメモリ、光学メモリなどを含むが、それらに限らない）で実施されるコンピュータプログラムプロダクトの形態を取り得る。
【００９６】
本公開は、本公開の実施例による方法、デバイス（システム）及びコンピュータプログラムプロダクトのフロー図及び／又はブロック図を参照にして記載されている。フロー図及び／又はブロック図における各フロー及び／又はブロック、及びフロー図及び／又はブロック図におけるフロー及び／又はブロックの組み合わせは、コンピュータプログラムコマンドにより実現されうると理解されるべきである。これらのコンピュータプログラムコマンドを汎用コンピュータ、専用コンピュータ、嵌め込み式プロセッサ又は他のプログラマブルなデータ処理デバイスのプロセッサに提供して１つの機器を形成し、コンピュータ又は他のプログラマブルなデータ処理デバイスのプロセッサにより実行される指令により、フロー図の１つ又は複数のフロー及び／又はブロック図の１つ又は複数のブロックで指定される機能を実現するための装置を形成する。
【００９７】
これらのコンピュータプログラムコマンドは、コンピュータ又は他のプログラマブルなデータ処理デバイスに特定の方式で動作させるように引導するコンピュータ読み出し可能なメモリに格納されてもよく、当該コンピュータ読み出し可能なメモリに格納されるコマンドにより、コマンド装置を含むプロダクトを形成する。当該コマンド装置は、フロー図の１つ又は複数のフロー及び／又はブロック図の１つ又は複数のブロックで指定される機能を実現する。
【００９８】
これらのコンピュータプログラムコマンドは、コンピュータ又は他のプログラマブルなデータ処理デバイスにロードされてもよく、コンピュータ又は他のプログラマブルなデータ処理デバイスで一連の操作工程を実行することにより、コンピュータで実現される処理を形成し、コンピュータ又は他のプログラマブルなデータ処理デバイスで実行されるコマンドにより、フロー図の１つ又は複数のフロー及び／又はブロック図の１つ又は複数のブロックで指定される機能を実現するためのステップを提供する。
【００９９】
明らかに、当業者は、本公開の精神や範囲を逸脱せずに、本公開に対して様々な変更や変形をすることができる。このように、本公開のこれらの修正や変形が本公開の請求項及びその同等の技術範囲に含まれるものであれば、本公開は、これらの変更や変形を含むことを意図とする。
【図１】
2018515968.tif 000030
【図２】
2018515968.tif 000031
【図３】
2018515968.tif 000032
【図４】
2018515968.tif 000033
【図５】
2018515968.tif 000034
【図６】
2018515968.tif 000035
【図７】
2018515968.tif 000036
【図８】
2018515968.tif 000037
【図９】
2018515968.tif 000038
【手続補正書】
【提出日】平成29年10月11日(2017.10.11)
【手続補正１】
【補正対象書類名】特許請求の範囲
【補正対象項目名】全文
【補正方法】変更
【補正の内容】
【特許請求の範囲】
【請求項１】
ローカル側が、送信側としてその情報が複数のサブフレームを含む重複伝送期間に重複伝送される必要がある場合、当該重複伝送期間に含まれる伝送時間帯ごとに対応するスクランブリングコード（ここで、伝送時間帯ごとが同一のスクランブリングコードに対応する）を確定することと、
前記ローカル側が、伝送時間帯毎に、当該伝送時間帯に対応するスクランブリングコードを用いて、当該伝送時間帯内に伝送される情報の符号化後のビットストリームをスクランブルし、スクランブル後のビットストリームを相手側に送信することと
を含むことを特徴とする情報伝送方法。
【請求項２】
前記ローカル側が前記重複伝送期間に含まれる伝送時間帯ごとに対応するスクランブリングコードを確定することは、具体的に、
前記ローカル側が、前記重複伝送期間に含まれる、上りサブフレーム又は下りサブフレームを含む複数の連続サブフレームを含む各伝送時間帯を確定することと、
前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することと
を含むことを特徴とする請求項１に記載の情報伝送方法。
【請求項３】
前記ローカル側が、伝送時間帯毎に、当該伝送時間帯内の複数の連続サブフレームのうち開始サブフレームのサブフレーム番号に基づいて、当該伝送時間帯に対応するスクランブリングコードを確定することは、具体的に、
前記ローカル側が、伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを含むことを特徴とする請求項２に記載の情報伝送方法。
【請求項４】
前記重複伝送期間に含まれる伝送時間帯を確定する前に、
前記複数の連続サブフレームのサブフレーム数を予め前記ローカル側と相手側に記憶し、
又は、
前記ローカル側と相手側のうちのネットワーク側により、前記複数の連続サブフレームのサブフレーム数を確定し、前記複数の連続サブフレームのサブフレーム数を相手側のユーザ機器に通知することを更に含むことを特徴とする請求項２に記載の情報伝送方法。
【請求項５】
前記ローカル側が前記重複伝送期間に含まれる伝送時間帯を確定することは、具体的に、
前記ローカル側が、前記複数の連続サブフレームのサブフレーム数に基づいて、前記重複伝送期間の開始時刻を起点として、当該重複伝送期間に含まれる伝送時間帯を確定することを含むことを特徴とする請求項４に記載の情報伝送方法。
【請求項６】
ネットワーク側により前記複数の連続サブフレームの数を確定する場合、当該ネットワーク側が、前記相手側のユーザ機器のチャネル条件に基づいて、前記複数の連続サブフレームのサブフレーム数を確定し、
前記ネットワーク側が前記複数の連続サブフレームのサブフレーム数を相手側のユーザ機器に通知することは、具体的に、
前記ネットワーク側が、ハイレイヤシグナリング又は下り制御情報ＤＣＩによって、前記複数の連続サブフレームのサブフレーム数を前記相手側のユーザ機器に通知することを含むことを特徴とする請求項４に記載の情報伝送方法。
【請求項７】
前記重複伝送期間の伝送時間帯ごとに対応するスクランブリングコードを予め前記ローカル側と前記相手側に記憶し、又は、前記ローカル側が、伝送時間帯ごとに対応するスクランブリングコードを前記相手側に送信することによって、前記相手側に対し、前記ローカル側からの送信メッセージを受信すると、伝送時間帯ごとに対応するスクランブリングコードで当該伝送時間帯の前記ローカル側による送信情報に対するスクランブル解析をするよう指示することを更に含むことを特徴とする請求項１に記載の情報伝送方法。
【請求項８】
前記ローカル側が、受信側として相手側から伝送時間帯ごとに送信される情報を受信する（伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする）ことと、
前記ローカル側が、伝送時間帯ごとの前記相手側による送信情報に対し、当該伝送時間帯に対応するスクランブリングコードを確定し、確定したスクランブリングコードに基づいて、当該伝送時間帯の前記相手側による送信情報に対するスクランブル解析を行うことと
を更に含むことを特徴とする請求項１に記載の情報伝送方法。
【請求項９】
情報が複数のサブフレームを含む重複伝送期間に重複伝送される必要がある場合、当該重複伝送期間に含まれる伝送時間帯ごとに対応するスクランブリングコード（伝送時間帯ごとが同一のスクランブリングコードに対応する）を確定する第１処理ユニットと、
前記第１処理ユニットに接続され、伝送時間帯毎に、当該伝送時間帯に対応するスクランブリングコードを用いて、当該伝送時間帯内に伝送される情報の符号化後のビットストリームをスクランブルする第２処理ユニットと、
前記第２処理ユニットに接続され、スクランブル後のビットストリームを相手側に送信する送信ユニットと、
を含むことを特徴とする情報伝送装置。
【請求項１０】
前記第１処理ユニットが前記重複伝送期間に含まれる伝送時間帯ごとに対応するスクランブリングコードを確定することは、具体的に、
前記第１処理ユニットが、前記重複伝送期間に含まれる、上りサブフレーム又は下りサブフレームを含む複数の連続サブフレームを含む各伝送時間帯を確定することと、
前記第１処理ユニットが、伝送時間帯毎に、当該伝送時間帯内の複数の連続サブフレームのうち開始サブフレームのサブフレーム番号に基づいて、当該伝送時間帯に対応するスクランブリングコードを確定することと
を含むことを特徴とする請求項９に記載の情報伝送装置。
【請求項１１】
前記第１処理ユニットは、具体的に、
前記伝送時間帯毎に、当該伝送時間帯内の複数の連続サブフレームのうち開始サブフレームのサブフレーム番号に基づいて第１ｍシーケンスを生成し、当該第１ｍシーケンスと所定の第２ｍシーケンスに基づいて、当該伝送時間帯に対応するスクランブリングコードを生成することを特徴とする請求項１０に記載の情報伝送装置。
【請求項１２】
前記複数の連続サブフレームのサブフレーム数を予め前記第１処理ユニットに記憶し、
又は、
当該装置がネットワーク側装置である場合、前記第１処理ユニットは、前記重複伝送期間に含まれる伝送時間帯を確定する前に、更に、前記複数の連続サブフレームのサブフレーム数を確定し、前記送信ユニットは、更に、前記複数の連続サブフレームのサブフレーム数をユーザ機器に通知することを特徴とする請求項１０に記載の情報伝送装置。
【請求項１３】
前記第１処理ユニットが前記重複伝送期間に含まれる伝送時間帯を確定することは、具体的に、
前記第１処理ユニットが、前記複数の連続サブフレームのサブフレーム数に基づいて、前記重複伝送期間の開始時刻を起点として、当該重複伝送期間に含まれる伝送時間帯を確定することを含み、
前記第１処理ユニットが前記複数の連続サブフレームの数を確定することは、具体的に、
前記第１処理ユニットが、前記ユーザ機器のチャネル条件に基づいて、前記複数の連続サブフレームのサブフレーム数を確定することを含み、
前記送信ユニットが前記複数の連続サブフレームの数を前記ユーザ機器に通知することは、具体的に、
前記送信ユニットが、ハイレイヤシグナリング又は下り制御情報ＤＣＩによって、前記複数の連続サブフレームの数を前記ユーザ機器に通知することを含むことを特徴とする請求項１２に記載の情報伝送装置。
【請求項１４】
前記重複伝送期間の伝送時間帯ごとに対応するスクランブリングコードを予め前記第１処理ユニットに記憶し、
又は、
前記送信ユニットは、更に、伝送時間帯ごとに対応するスクランブリングコードを前記相手側に送信することによって、前記相手側に対し、当該装置の存在するローカル側からの送信メッセージを受信すると、伝送時間帯ごとに対応するスクランブリングコードで当該伝送時間帯の当該装置の存在するローカル側による送信情報に対するスクランブル解析をするよう指示することを特徴とする請求項９に記載の情報伝送装置。
【請求項１５】
前記第１処理ユニットに接続され、相手側から伝送時間帯ごとに送信される情報を受信する受信ユニット（前記伝送時間帯ごとが同一のスクランブリングコードに対応し、いずれかの伝送時間帯に伝送される情報の符号化後のビットストリームに対し、当該伝送時間帯に対応するスクランブリングコードを用いてスクランブルする）を更に含み、
前記第１処理ユニットは、更に、伝送時間帯ごとの前記相手側による送信情報に対し、当該伝送時間帯に対応するスクランブリングコードを確定し、確定したスクランブリングコードに基づいて、当該伝送時間帯の前記相手側による送信情報に対するスクランブル解析を行うことを特徴とする請求項９に記載の情報伝送装置。
【国際調査報告】
2018515968.tif 000039
2018515968.tif 000040
2018515968.tif 000041
2018515968.tif 000042